(57)【要約】      （修正有）【課題】巻芯部に巻回された２本のワイヤの各々の端末部が対応する端子電極に継線される途中で互いにクロスする継線構造においてワイヤの根元位置に余計な負荷がかかることを防止する。【解決手段】コイル部品は、ドラムコアの巻芯部１１に巻回された２本のワイヤＷ２，Ｗ４と、ドラムコアの表面に設けられた２つの端子電極１５Ｂ，１５Ｃとを備える。ワイヤＷ２は、巻芯部１１から端子電極１５Ｂに向かって延びる引き出し部ＬＬ２ｂと、端子電極１５Ｂに継線された継線部Ｂ２ｂとを有し、ワイヤＷ４は、巻芯部１１から端子電極１５Ｃに向かって延びる引き出し部ＬＬ４ａと、端子電極１５Ｃに継線された継線部Ｂ４ａとを有する。引き出し部ＬＬ２ｂは、引き出し部ＬＬ４ａの下方を通過して引き出し部ＬＬ４ａとクロスしており、巻芯部１１側から見た継線部Ｂ４ａの根元位置は、継線部Ｂ２ｂの根元位置よりも巻芯部１１の延伸方向の奥側に位置する。【選択図】図５
2015201613.tif 000002
【特許請求の範囲】
【請求項１】
巻芯部を有するコアと、
前記巻芯部に巻回された第１及び第２のワイヤと、
前記コアの表面に設けられた第１及び第２の端子電極とを備え、
前記第１のワイヤは、前記巻芯部を横切りながら前記巻芯部から前記第１の端子電極に向かって斜め下方に延びる第１の引き出し部と、前記第１の端子電極に継線された第１の継線部とを有し、
前記第２のワイヤは、前記巻芯部を横切りながら前記巻芯部から前記第２の端子電極に向かって斜め下方に延びる第２の引き出し部と、前記第２の端子電極に継線された第２の継線部とを有し、
前記第１の引き出し部は、前記第２の引き出し部の下方を通過して前記第２の引き出し部とクロスしており、
前記巻芯部側から見た前記第２の継線部の根元位置は、前記第１の継線部の根元位置よりも前記巻芯部の延伸方向の奥側に位置することを特徴とするコイル部品。
【請求項２】
前記巻芯部の延伸方向における前記第２の端子電極の長さは、前記巻芯部の延伸方向における前記第１の端子電極の長さよりも短く、
前記巻芯部側から見た前記第２の端子電極の近端側のエッジの位置は、前記第１の端子電極の近端側のエッジの位置よりも前記巻芯部の延伸方向の奥側に位置する、請求項１に記載のコイル部品。
【請求項３】
前記第１の端子電極は、前記巻芯部の中心軸から見て前記第２の端子電極と線対称な関係を有する、請求項１又は２に記載のコイル部品。
【請求項４】
前記コアは、前記巻芯部の端部に設けられた鍔部を有し、
前記第１及び第２の端子電極は前記鍔部の表面に設けられている、請求項１乃至３のいずれか一項に記載のコイル部品。
【請求項５】
前記第１及び第２の継線部は熱圧着により継線されている、請求項１乃至４のいずれか一項に記載のコイル部品。
【請求項６】
巻芯部及び前記巻芯部の両端にそれぞれ設けられた第１及び第２の鍔部を有するドラムコアと、
前記巻芯部に巻回された第１乃至第４のワイヤと、
前記第１の鍔部の表面に設けられた第１乃至第３の端子電極と、
前記第２の鍔部の表面に設けられた第４乃至第６の端子電極とを備え、
前記第１のワイヤは、前記巻芯部を横切ることなく前記巻芯部から前記第１の端子電極に向かって下方に延びる第１の引き出し部と、前記第１の端子電極に継線された第１の継線部と、前記巻芯部を横切りながら前記巻芯部から前記第４の端子電極に向かって斜め下方に延びる第２の引き出し部と、前記第４の端子電極に継線された第２の継線部とを有し、
前記第２のワイヤは、前記巻芯部を横切ることなく前記巻芯部から前記第４の端子電極に向かって斜め下方に延びる第３の引き出し部と、前記第４の端子電極に継線された第３の継線部と、前記巻芯部を横切りながら前記巻芯部から前記第２の端子電極に向かって下方に延びる第４の引き出し部と、前記第２の端子電極に継線された第４の継線部とを有し、
前記第３のワイヤは、前記巻芯部を横切りながら前記巻芯部から前記第５の端子電極に向かって下方に延びる第５の引き出し部と、前記第５の端子電極に継線された第５の継線部と、前記巻芯部を横切ることなく前記巻芯部から前記第３の端子電極に向かって斜め下方に延びる第６の引き出し部と、前記第３の端子電極に継線された第６の継線部とを有し、
前記第４のワイヤは、前記巻芯部を横切りながら前記巻芯部から前記第３の端子電極に向かって斜め下方に延びる第７の引き出し部と、前記第３の端子電極に継線された第７の継線部と、前記巻芯部を横切ることなく前記巻芯部から前記第６の端子電極に向かって下方に延びる第８の引き出し部と、前記第６の端子電極に継線された第８の継線部とを有し、
前記第４の引き出し部は、前記第７の引き出し部の下方を通過して前記第７の引き出し部とクロスしており、
前記第５の引き出し部は、前記第２の引き出し部の下方を通過して前記第２の引き出し部とクロスしており、
前記巻芯部側から見た前記第７の継線部の根元位置は、前記第４の継線部の根元位置よりも前記第１の鍔部の外側側面寄りに位置し、
前記巻芯部側から見た前記第２の継線部の根元位置は、前記第５の継線部の根元位置よりも前記第２の鍔部の外側側面寄りに位置することを特徴とするコイル部品。
【請求項７】
前記巻芯部の延伸方向における前記第３の端子電極の長さは、前記巻芯部の延伸方向における前記第１の端子電極の長さよりも短く、
前記巻芯部の延伸方向における前記第４の端子電極の長さは、前記巻芯部の延伸方向における前記第６の端子電極の長さよりも短く、
前記巻芯部側から見た前記第３の端子電極の近端側のエッジの位置は、前記第１の端子電極の近端側のエッジの位置よりも前記第１の鍔部の外側側面寄りに位置し、
前記巻芯部側から見た前記第４の端子電極の近端側のエッジの位置は、前記第６の端子電極の近端側のエッジの位置よりも前記第２の鍔部の外側側面寄りに位置する、請求項６に記載のコイル部品。
【請求項８】
前記第１の端子電極は、前記巻芯部の前記中心軸から見て前記第３の端子電極と線対称な関係を有し、
前記第４の端子電極は、前記巻芯部の前記中心軸から見て前記第６の端子電極と線対称な関係を有する、請求項６又は７に記載のコイル部品。
【請求項９】
前記第２及び第３の端子電極間のスペース幅は、前記第１及び第２の端子電極間のスペース幅よりも広く、
前記第４及び第５の端子電極間のスペース幅は、前記第５及び第６の端子電極間のスペース幅よりも広い、請求項６乃至８のいずれか一項に記載のコイル部品。
【請求項１０】
前記第１乃至第８の継線部は熱圧着により継線されている、請求項６乃至９のいずれか一項に記載のコイル部品。
【請求項１１】
巻芯部及び前記巻芯部の両端にそれぞれ設けられた第１及び第２の鍔部を有するドラムコアと、
前記巻芯部に巻回された第１乃至第４のワイヤと、
前記第１の鍔部の表面に設けられた第１乃至第４の端子電極と、
前記第２の鍔部の表面に設けられた第５乃至第８の端子電極とを備え、
前記第１のワイヤは、前記巻芯部を横切ることなく前記巻芯部から前記第１の端子電極に向かって下方に延びる第１の引き出し部と、前記第１の端子電極に継線された第１の継線部と、前記巻芯部を横切りながら前記巻芯部から前記第６の端子電極に向かって斜め下方に延びる第２の引き出し部と、前記第６の端子電極に継線された第２の継線部とを有し、
前記第２のワイヤは、前記巻芯部を横切ることなく前記巻芯部から前記第５の端子電極に向かって斜め下方に延びる第３の引き出し部と、前記第５の端子電極に継線された第３の継線部と、前記巻芯部を横切りながら前記巻芯部から前記第２の端子電極に向かって下方に延びる第４の引き出し部と、前記第２の端子電極に継線された第４の継線部とを有し、
前記第３のワイヤは、前記巻芯部を横切りながら前記巻芯部から前記第４の端子電極に向かって延びる第５の引き出し部と、前記第４の端子電極に継線された第５の継線部と、前記巻芯部を横切ることなく前記巻芯部から前記第７の端子電極に向かって斜め下方に延びる第６の引き出し部と、前記第７の端子電極に継線された第６の継線部とを有し、
前記第４のワイヤは、前記巻芯部を横切りながら前記巻芯部から前記第３の端子電極に向かって斜め下方に延びる第７の引き出し部と、前記第３の端子電極に継線された第７の継線部と、前記巻芯部を横切ることなく前記巻芯部から前記第８の端子電極に向かって下方に延びる第８の引き出し部と、前記第８の端子電極に継線された第８の継線部とを有し、
前記第４の引き出し部は、前記第７の引き出し部の下方を通過して前記第７の引き出し部とクロスしており、
前記第５の引き出し部は、前記第２の引き出し部の下方を通過して前記第２の引き出し部とクロスしており、
前記巻芯部側から見た前記第７の継線部の根元位置は、前記第４の継線部の根元位置よりも前記第１の鍔部の外側側面寄りに位置し、
前記巻芯部側から見た前記第２の継線部の根元位置は、前記第５の継線部の根元位置よりも前記第２の鍔部の外側側面寄りに位置することを特徴とするコイル部品。
【請求項１２】
前記巻芯部の延伸方向における前記第３の端子電極の長さは、前記巻芯部の延伸方向における前記第１の端子電極の長さよりも短く、
前記巻芯部の延伸方向における前記第６の端子電極の長さは、前記巻芯部の延伸方向における前記第８の端子電極の長さよりも短く、
前記巻芯部側から見た前記第３の端子電極の近端側のエッジの位置は、前記第１の端子電極の近端側のエッジの位置よりも前記第１の鍔部の外側側面寄りに位置し、
前記巻芯部側から見た前記第６の端子電極の近端側のエッジの位置は、前記第８の端子電極の近端側のエッジの位置よりも前記第２の鍔部の外側側面寄りに位置する、請求項１１に記載のコイル部品。
【請求項１３】
前記第１の端子電極は、前記巻芯部の前記中心軸から見て前記第４の端子電極と線対称な関係を有し、
前記第２の端子電極は、前記巻芯部の前記中心軸から見て前記第３の端子電極と線対称な関係を有し、
前記第５の端子電極は、前記巻芯部の前記中心軸から見て前記第８の端子電極とそれぞれ線対称な関係を有し、
前記第６の端子電極は、前記巻芯部の前記中心軸から見て前記第７の端子電極と線対称な関係を有する、請求項１１又は１２に記載のコイル部品。
【請求項１４】
前記第２及び第３の端子電極間のスペース幅は、前記第１及び第２の端子電極間のスペース幅よりも広く、
前記第６及び第７の端子電極間のスペース幅は、前記第７及び第８の端子電極間のスペース幅よりも広い、請求項１１乃至１３のいずれか一項に記載のコイル部品。
【請求項１５】
前記第１乃至第８の継線部は熱圧着により継線されている、請求項１１乃至１４のいずれか一項に記載のコイル部品。
【発明の詳細な説明】
【技術分野】
【０００１】
本発明は、コイル部品に関し、特に、表面実装型パルストランスの継線構造に関するものである。
【背景技術】
【０００２】
コイル部品の一つとしてパルストランスが知られている。パルストランスは例えばパソコンなどの機器とＬＡＮケーブルとの接続点を構成するコネクタ内に設けられ、ＬＡＮケーブルを通じてパルス信号を伝送するとともに、一次巻線と二次巻線による絶縁により、ＥＳＤ（ElectroStatic Discharge：静電気放電）や高電圧の侵入を遮断して内部回路を保護する役割を果たすものである。
【０００３】
例えば特許文献１には小型で高密度実装が可能な表面実装型パルストランスが記載されている。このパルストランスは、巻芯部及び一対の鍔部を有するドラムコアと、ドラムコアの巻芯部に巻回されそれぞれ中間タップが設けられる一次巻線及び二次巻線とを備える。そして一次巻線の両端部を継線する第１及び第２の端子電極と二次巻線の中間タップを継線する第３の端子電極とがドラムコアの一方の鍔部に設けられ、一次巻線の中間タップを継線する第４の端子電極と二次巻線の両端部を継線する第５及び第６の端子電極とがドラムコアの他方の鍔部に設けられている。このパルストランスは、同じタイミングで継線される２つの端子電極が同じ鍔部に配置されているので、一度に片方の鍔部にしか継線作業を行えない自動巻線機を用いて巻線作業を行う場合の巻線作業時間を短縮することができる。
【先行技術文献】
【特許文献】
【０００４】
【特許文献１】特開２０１０−１０９２６７号公報
【発明の概要】
【発明が解決しようとする課題】
【０００５】
上述した従来のパルストランスにおいて、巻芯部に巻回された一次巻線及び二次巻線の両端部は、巻芯部からそれぞれ引き出されて対応する端子電極に継線されており、特に巻芯部から対応する端子電極に向かって斜め下方に引き出された２本の引き出し線が互いにクロスする継線構造を有している。そのため、上側の引き出し線が下側の引き出し線と接触して上方に押されるおそれがあり、端子電極に熱圧着された上側の引き出し線の継線部はこのときの応力によってその根元位置に余計な負荷がかかるおそれがある。
【０００６】
したがって、本発明の目的は、巻芯部に巻回された２本のワイヤの各々が対応する端子電極に継線される途中で互いにクロスする継線構造において、ワイヤの継線部の根元位置に余計な負荷がかかることを防止し、より信頼性を高くすることが可能なコイル部品を提供することにある。
【課題を解決するための手段】
【０００７】
上記課題を解決するため、本発明の第１の側面によるコイル部品は、巻芯部を有するコアと、前記巻芯部に巻回された第１及び第２のワイヤと、前記コアの表面に設けられた第１及び第２の端子電極とを備え、前記第１のワイヤは、前記巻芯部を横切りながら前記巻芯部から前記第１の端子電極に向かって斜め下方に延びる第１の引き出し部と、前記第１の端子電極に継線された第１の継線部とを有し、前記第２のワイヤは、前記巻芯部を横切りながら前記巻芯部から前記第２の端子電極に向かって斜め下方に延びる第２の引き出し部と、前記第２の端子電極に継線された第２の継線部とを有し、前記第１の引き出し部は、前記第２の引き出し部の下方を通過して前記第２の引き出し部とクロスしており、前記巻芯部側から見た前記第２の継線部の根元位置は、前記第１の継線部の根元位置よりも前記巻芯部の延伸方向の奥側に位置することを特徴とする。
【０００８】
本発明によれば、第２の端子電極に継線された第２のワイヤの継線部の根元位置が、第１の端子電極に継線された第１のワイヤの継線部の根元位置よりも巻芯部側から見て巻芯部から離れる方向に位置しているので、第１のワイヤと第２のワイヤとのクロスポイントにおいて第１のワイヤが第２のワイヤから受ける圧接力を抑えることができ、第１のワイヤの継線部の根元位置に余計な負荷がかかることを防止することができる。したがって、信頼性の高いコイル部品を提供することができる。
【０００９】
本発明において、前記巻芯部の延伸方向における前記第２の端子電極の長さは、前記巻芯部の延伸方向における前記第１の端子電極の長さよりも短く、前記巻芯部側から見た前記第２の端子電極の近端側のエッジの位置は、前記第１の端子電極の近端側のエッジの位置よりも前記巻芯部の延伸方向の奥側に位置することが好ましい。この構成によれば、第２の端子電極上の第２の継線部を第１の継線部よりも巻芯部の延伸方向の奥側に位置決めしやすく、第２のワイヤの端末部を第２の端子電極上に容易に継線することができる。
【００１０】
本発明において、前記第１の端子電極は、前記巻芯部の中心軸から見て前記第２の端子電極と線対称な関係を有することが好ましい。第１の端子電極が中心軸を挟んで第２の端子電極の反対側に位置する場合には、２つの端子電極間の距離が長くなり、ワイヤの引き出し部の長さも長くなり、クロスポイントでのワイヤの圧接力が強まる。しかし、本発明によればこのような問題を解決することができ、信頼性の高いコイル部品を提供することができる。
【００１１】
本発明において、前記コアは、前記巻芯部の端部に設けられた鍔部を有し、前記第１及び第２の端子電極は前記鍔部の表面に設けられていることが好ましい。第１及び第２の端子電極が鍔部に設けられる場合には、第１及び第２の引き出し部が巻芯部から鍔部に向かって引き延ばされてテンションが強くなり、互いのクロスポイントで圧接力が強まるため、継線部の根元位置に余計な負荷がかかりやすい。しかし、本発明によればこのような問題を解決することができ、信頼性の高いコイル部品を提供することができる。
【００１２】
本発明において、前記第１及び第２の継線部は熱圧着により継線されていることが好ましい。第１及び第２のワイヤの各端末部が熱圧着により継線される場合には上記の問題が生じやすいが、本発明によればこのような問題を解決することができ、信頼性の高いコイル部品を提供することができる。
【００１３】
また、本発明の第２の側面によるコイル部品は、巻芯部及び前記巻芯部の両端にそれぞれ設けられた第１及び第２の鍔部を有するドラムコアと、前記巻芯部に巻回された第１乃至第４のワイヤと、前記第１の鍔部の表面に設けられた第１乃至第３の端子電極と、前記第２の鍔部の表面に設けられた第４乃至第６の端子電極とを備え、前記第１のワイヤは、前記巻芯部を横切ることなく前記巻芯部から前記第１の端子電極に向かって下方に延びる第１の引き出し部と、前記第１の端子電極に継線された第１の継線部と、前記巻芯部を横切りながら前記巻芯部から前記第４の端子電極に向かって斜め下方に延びる第２の引き出し部と、前記第４の端子電極に継線された第２の継線部とを有し、前記第２のワイヤは、前記巻芯部を横切ることなく前記巻芯部から前記第４の端子電極に向かって斜め下方に延びる第３の引き出し部と、前記第４の端子電極に継線された第３の継線部と、前記巻芯部を横切りながら前記巻芯部から前記第２の端子電極に向かって下方に延びる第４の引き出し部と、前記第２の端子電極に継線された第４の継線部とを有し、前記第３のワイヤは、前記巻芯部を横切りながら前記巻芯部から前記第５の端子電極に向かって下方に延びる第５の引き出し部と、前記第５の端子電極に継線された第５の継線部と、前記巻芯部を横切ることなく前記巻芯部から前記第３の端子電極に向かって斜め下方に延びる第６の引き出し部と、前記第３の端子電極に継線された第６の継線部とを有し、前記第４のワイヤは、前記巻芯部を横切りながら前記巻芯部から前記第３の端子電極に向かって斜め下方に延びる第７の引き出し部と、前記第３の端子電極に継線された第７の継線部と、前記巻芯部を横切ることなく前記巻芯部から前記第６の端子電極に向かって下方に延びる第８の引き出し部と、前記第６の端子電極に継線された第８の継線部とを有し、前記第４の引き出し部は、前記第７の引き出し部の下方を通過して前記第３の引き出し部とクロスしており、前記第５の引き出し部は、前記第２の引き出し部の下方を通過して前記第６の引き出し部とクロスしており、前記巻芯部側から見た前記第７の継線部の根元位置は、前記第４の継線部の根元位置よりも前記第１の鍔部の外側側面寄りに位置し、前記巻芯部側から見た前記第２の継線部の根元位置は、前記第５の継線部の根元位置よりも前記第２の鍔部の外側側面寄りに位置することを特徴とする。
【００１４】
本発明によれば、第１の鍔部側の第３の端子電極に継線された第４のワイヤの継線部の根元位置が、第２の端子電極に継線された第２のワイヤの継線部の根元位置よりも第１の鍔部の外側側面寄りに位置しているので、第４のワイヤと第２のワイヤとのクロスポイントにおいて第２のワイヤが第４のワイヤから受ける圧接力を抑えることができ、第２のワイヤの継線部の根元位置に余計な負荷がかかることを防止することができる。また、第２の鍔部側の第４の端子電極に継線された第１のワイヤの継線部の根元位置が、第５の端子電極に継線された第３のワイヤの継線部の根元位置よりも巻芯部側から見て第２の鍔部の外側側面寄りに位置しているので、第１のワイヤと第３のワイヤとのクロスポイントにおいて第３のワイヤが第１のワイヤから受ける圧接力を抑えることができ、第３のワイヤの継線部の根元位置に余計な負荷がかかることを防止することができる。したがって、信頼性の高いコイル部品を提供することができる。
【００１５】
本発明において、前記第２及び第３のワイヤは前記巻芯部にバイファイラ巻きにより巻回されて第１の巻線層を構成しており、前記第１及び第４のワイヤは前記第１の巻線層に重ねてバイファイラ巻きにより巻回されて第２の巻線層を構成しており、前記第１及び第４のワイヤの巻回方向は前記第２及び第３のワイヤの巻回方向と逆方向であることが好ましい。
【００１６】
本発明において、前記巻芯部の延伸方向における前記第３の端子電極の長さは、前記巻芯部の延伸方向における前記第１の端子電極の長さよりも短く、前記巻芯部の延伸方向における前記第４の端子電極の長さは、前記巻芯部の延伸方向における前記第６の端子電極の長さよりも短く、前記巻芯部側から見た前記第３の端子電極の近端側のエッジの位置は、前記第１の端子電極の近端側のエッジの位置よりも前記第１の鍔部の外側側面寄りに位置し、前記巻芯部側から見た前記第４の端子電極の近端側のエッジの位置は、前記第６の端子電極の近端側のエッジの位置よりも前記第２の鍔部の外側側面寄りに位置することが好ましい。この構成によれば、第３の端子電極上の第５の継線部を第１の継線部よりも第１の鍔部の外側側面寄りに位置決めしやすく、第３のワイヤの端末部を第３の端子電極上に容易に継線することができる。同様に、第４の端子電極上の第４の継線部を第８の継線部よりも第２の鍔部の外側側面寄りに位置決めしやすく、第２のワイヤの端末部を第４の端子電極上に容易に継線することができる。
【００１７】
本発明において、前記第１及び第４の端子電極は、前記巻芯部の前記中心軸から見て前記第３及び第６の端子電極とそれぞれ線対称な関係を有することが好ましい。第１の端子電極が中心軸を挟んで第３の端子電極の反対側に位置し、第４の端子電極が中心軸を挟んで第６の端子電極の反対側に位置する場合には、対称位置にある２つの端子電極間の距離が長くなり、ワイヤの引き出し部の長さも長くなり、クロスポイントでのワイヤの圧接力が強まる。しかし、本発明によればこのような問題を解決することができ、信頼性の高いコイル部品を提供することができる。
【００１８】
本発明において、前記第２及び第３の端子電極間のスペース幅は、前記第１及び第２の端子電極間のスペース幅よりも広く、前記第６及び第７の端子電極間のスペース幅は、前記第７及び第８の端子電極間のスペース幅よりも広いことが好ましい。この構成によれば、共通の鍔部上に設けられる一次巻線用端子と二次巻線用端子との間の絶縁耐圧を確保することができる。
【００１９】
本発明において、前記第１乃至第８の継線部は熱圧着により継線されていることが好ましい。第１乃至第４のワイヤの各端末部が熱圧着により継線される場合には上記の問題が生じやすいが、本発明によればこのような問題を解決することができ、信頼性の高いコイル部品を提供することができる。
【００２０】
本発明の第３の側面によるコイル部品は、巻芯部及び前記巻芯部の両端にそれぞれ設けられた第１及び第２の鍔部を有するドラムコアと、前記巻芯部に巻回された第１乃至第４のワイヤと、前記第１の鍔部の表面に設けられた第１乃至第４の端子電極と、前記第２の鍔部の表面に設けられた第５乃至第８の端子電極とを備え、前記第１のワイヤは、前記巻芯部を横切ることなく前記巻芯部から前記第１の端子電極に向かって下方に延びる第１の引き出し部と、前記第１の端子電極に継線された第１の継線部と、前記巻芯部を横切りながら前記巻芯部から前記第６の端子電極に向かって斜め下方に延びる第２の引き出し部と、前記第６の端子電極に継線された第２の継線部とを有し、前記第２のワイヤは、前記巻芯部を横切ることなく前記巻芯部から前記第５の端子電極に向かって斜め下方に延びる第３の引き出し部と、前記第５の端子電極に継線された第３の継線部と、前記巻芯部を横切りながら前記巻芯部から前記第２の端子電極に向かって下方に延びる第４の引き出し部と、前記第２の端子電極に継線された第４の継線部とを有し、前記第３のワイヤは、前記巻芯部を横切りながら前記巻芯部から前記第４の端子電極に向かって延びる第５の引き出し部と、前記第４の端子電極に継線された第５の継線部と、前記巻芯部を横切ることなく前記巻芯部から前記第７の端子電極に向かって斜め下方に延びる第６の引き出し部と、前記第７の端子電極に継線された第６の継線部とを有し、前記第４のワイヤは、前記巻芯部を横切りながら前記巻芯部から前記第３の端子電極に向かって斜め下方に延びる第７の引き出し部と、前記第３の端子電極に継線された第７の継線部と、前記巻芯部を横切ることなく前記巻芯部から前記第８の端子電極に向かって下方に延びる第８の引き出し部と、前記第８の端子電極に継線された第８の継線部とを有し、前記第４の引き出し部は、前記第７の引き出し部の下方を通過して前記第７の引き出し部とクロスしており、前記第５の引き出し部は、前記第２の引き出し部の下方を通過して前記第２の引き出し部とクロスしており、前記巻芯部側から見た前記第７の継線部の根元位置は、前記第４の継線部の根元位置よりも前記第１の鍔部の外側側面寄りに位置し、前記巻芯部側から見た前記第２の継線部の根元位置は、前記第５の継線部の根元位置よりも前記第２の鍔部の外側側面寄りに位置することを特徴とする。
【００２１】
本発明によれば、第１の鍔部側の第３の端子電極に継線された第４のワイヤの継線部の根元位置が、第２の端子電極に継線された第２のワイヤの継線部の根元位置よりも第１の鍔部の外側側面寄りに位置しているので、第４のワイヤと第２のワイヤとのクロスポイントにおいて第２のワイヤが第４のワイヤから受ける圧接力を抑えることができ、第２のワイヤの継線部の根元位置に余計な負荷がかかることを防止することができる。また、第２の鍔部側の第６の端子電極に継線された第１のワイヤの継線部の根元位置が、第７の端子電極に継線された第３のワイヤの継線部の根元位置よりも巻芯部側から見て第２の鍔部の外側側面寄りに位置しているので、第１のワイヤと第３のワイヤとのクロスポイントにおいて第３のワイヤが第１のワイヤから受ける圧接力を抑えることができ、第３のワイヤの継線部の根元位置に余計な負荷がかかることを防止することができる。したがって、信頼性の高いコイル部品を提供することができる。
【００２２】
本発明において、前記第２及び第３のワイヤは前記巻芯部にバイファイラ巻きにより巻回されて第１の巻線層を構成しており、前記第１及び第４のワイヤはバイファイラ巻きにより前記第１の巻線層に重ねて巻回されて第２の巻線層を構成しており、前記第１及び第４のワイヤの巻回方向は前記第２及び第３の巻回方向と逆であることが好ましい。
【００２３】
前記巻芯部の延伸方向における前記第３の端子電極の長さは、前記巻芯部の延伸方向における前記第１の端子電極の長さよりも短く、前記巻芯部の延伸方向における前記第６の端子電極の長さは、前記巻芯部の延伸方向における前記第８の端子電極の長さよりも短く、前記巻芯部側から見た前記第３の端子電極の近端側のエッジの位置は、前記第１の端子電極の近端側のエッジの位置よりも前記第１の鍔部の外側側面寄りに位置し、前記巻芯部側から見た前記第６の端子電極の近端側のエッジの位置は、前記第８の端子電極の近端側のエッジの位置よりも前記第２の鍔部の外側側面寄りに位置することが好ましい。この構成によれば、第３の端子電極上の第５の継線部を第１の継線部よりも第１の鍔部の外側側面寄りに位置決めしやすく、第３のワイヤの端末部を第３の端子電極上に容易に継線することができる。同様に、第６の端子電極上の第４の継線部を第８の継線部よりも第２の鍔部の外側側面寄りに位置決めしやすく、第２のワイヤの端末部を第６の端子電極上に容易に継線することができる。
【００２４】
本発明において、前記第１、第２、第５及び第６の端子電極は、前記巻芯部の前記中心軸から見て前記第４、第３、第８及び第７の端子電極とそれぞれ線対称な関係を有することが好ましい。第１及び第２の端子電極が中心軸を挟んで第４及び第３の端子電極の反対側にそれぞれ位置し、第５及び第６の端子電極が中心軸を挟んで第８及び第７の端子電極の反対側にそれぞれ位置する場合には、対称位置にある２つの端子電極間の距離が長くなり、ワイヤの引き出し部の長さも長くなり、クロスポイントでのワイヤの圧接力が強まる。しかし、本発明によればこのような問題を解決することができ、信頼性の高いコイル部品を提供することができる。
【００２５】
本発明において、前記第２及び第３の端子電極間のスペース幅は、前記第１及び第２の端子電極間のスペース幅よりも広く、前記第６及び第７の端子電極間のスペース幅は、前記第７及び第８の端子電極間のスペース幅よりも広いことが好ましい。この構成によれば、共通の鍔部上に設けられる一次巻線用端子と二次巻線用端子との間の絶縁耐圧を確保することができる。
【００２６】
本発明において、前記第１乃至第８の継線部は熱圧着により継線されていることが好ましい。第１乃至第４のワイヤの各端末部が熱圧着により継線される場合には上記の問題が生じやすいが、本発明によればこのような問題を解決することができ、信頼性の高いコイル部品を提供することができる。
【発明の効果】
【００２７】
本発明によれば、巻芯部に巻回された２本のワイヤの各々が対応する端子電極に継線される途中で互いにクロスする継線構造において、ワイヤの継線部の根元位置に余計な負荷がかかることを防止することが可能なコイル部品を提供することができる。
【図面の簡単な説明】
【００２８】
【図１】図１は、本発明の第１の実施形態によるコイル部品の外観構成を示す略斜視図である。
【図２】図２は、図１のコイル部品を上下反転させた状態を示す略斜視図である。
【図３】図３（ａ）及び（ｂ）は、ワイヤＷ１〜Ｗ４と端子電極１５Ａ〜１５Ｆとの結線について説明するための略平面図である。
【図４】図４は、コイル部品１の等価回路図である。
【図５】図５は、鍔部１２Ａ側のワイヤＷ１〜Ｗ４の端末部の継線構造を示す図であって、（ａ）は底面側から見た略平面図、（ｂ）は側面側から見た略平面図である。
【図６】図６は、鍔部１２Ｂ側のワイヤＷ１〜Ｗ４の端末部の継線構造を示す図であって、（ａ）は底面側から見た略平面図、（ｂ）は側面側から見た略平面図である。
【図７】図７は、本発明の第２の実施の形態によるコイル部品の構造を示す略平面図であって、底面側の構成を示すものである。
【図８】図８は、本発明の第３の実施の形態によるコイル部品の構造を示す略平面図であって、底面側の構成を示すものである。
【発明を実施するための形態】
【００２９】
以下、添付図面を参照しながら、本発明の好ましい実施の形態について詳細に説明する。
【００３０】
図１は、本発明の第１の実施形態によるコイル部品の外観構成を示す略斜視図である。また、図２は、図１のコイル部品を上下反転させた状態を示す略斜視図である。
【００３１】
図１及び図２に示すように、このコイル部品１はパルストランスであって、ドラムコア１０と、板状コア１３と、６つの端子電極１５Ａ〜１５Ｆと、ドラムコア１０に巻回された４本のワイヤＷ１〜Ｗ４とを備えている。特に限定されないが、コイル部品１は表面実装型のパルストランスであり、そのサイズは、約３．３×３．３×２．７ｍｍである。
【００３２】
ドラムコア１０は例えばＮｉ−Ｚｎ系フェライトなどの磁性材料からなり、ワイヤＷ１〜Ｗ４が巻回された巻芯部１１と、巻芯部１１の両端に配置された一対の鍔部１２Ａ，１２Ｂを有している。板状コア１３もまたＮｉ−Ｚｎ系フェライトなどの磁性材料からなり、一対の鍔部１２Ａ，１２Ｂの上面に載置され、接着剤等で固定されている。
【００３３】
板状コア１３の上面は平坦な平滑面であるため、コイル部品１の実装時にこの平滑面を吸着面として吸着実装することができる。さらに、鍔部１２Ａ，１２Ｂの上面と接着される板状コア１３の表面も平滑面であることが好ましい。板状コア１３の平滑な表面が鍔部１２Ａ，１２Ｂと当接することにより、両者を確実に密着させることができ、磁束漏れのない閉磁路を形成することができる。
【００３４】
端子電極１５Ａ〜１５Ｆは、鍔部１２Ａ，１２Ｂの底面から外側側面にかけて延設されたＬ字型の端子金具である。ここで、鍔部の外側側面とは、巻芯部１１の取り付け面とは反対側に位置する面である。これらの端子電極１５Ａ〜１５Ｆは、一枚の金属板を加工して得られるリードフレームから切り出された金属片であることが好ましい。端子電極１５Ａ〜１５Ｆはリードフレームの状態のままドラムコア１０に接着固定され、フレーム部から切り離されることにより独立した端子となる。端子電極１５Ａ〜１５Ｆを用いた場合には、めっき電極に比べてその形成が容易であり、量産時のコスト面でも有利である。さらに、端子電極１５Ａ〜１５Ｆの取り付け時の位置精度を高めることができる。
【００３５】
図２に示すように、Ｌ字型の端子電極１５Ａ〜１５Ｆの各々は、鍔部１２Ａ，１２Ｂの底面に接する底面部ＴＢと、鍔部１２Ａ，１２Ｂの外側側面に接する側面部ＴＳとを有している。そしてワイヤＷ１〜Ｗ４の各端末部は、対応する端子電極１５Ａ〜１５Ｆの底面部ＴＢの表面に熱圧着により継線されている。
【００３６】
端子電極１５Ａ〜１５Ｆのうち、３つの端子電極１５Ａ，１５Ｂ，１５Ｃは鍔部１２Ａ側に設けられており、他の３つの端子電極１５Ｄ，１５Ｅ，１５Ｆは鍔部１２Ｂ側に設けられている。端子電極１５Ａ〜１５Ｃは、図２に示したｘ方向（実装面内で巻芯部１１の中心軸方向（ｙ方向）と直交する方向）の一端側からこの順で配置されている。同様に、端子電極１５Ｄ〜１５Ｆも、ｘ方向の一端側からこの順で配置されている。
【００３７】
３つの端子電極１５Ａ，１５Ｂ，１５Ｃのうち、２つの端子電極１５Ａ，１５Ｂは鍔部１２ＡのＸ方向の一端寄り（右寄り）に設けられており、端子電極１５Ｃは鍔部１２ＡのＸ方向の他端寄り（左寄り）に設けられており、端子電極１５Ｂ，１５Ｃ間には端子電極１５Ａ，１５Ｂ間よりも広い一定幅のスペースが設けられている。これと同様に、３つの端子電極１５Ｄ，１５Ｅ，１５Ｆのうち、端子電極１５Ｄは鍔部１２ＢのＸ方向の一端寄り（右寄り）に設けられており、２つの端子電極１５Ｅ，１５Ｆは鍔部１２ＢのＸ方向の他端寄り（左寄り）に設けられており、端子電極１５Ｄ，１５Ｅ間には端子電極１５Ｅ，１５Ｆ間よりも広い一定幅のスペースが設けられている。これらのスペースは一次巻線と二次巻線の間の耐圧を確保するためである。
【００３８】
本実施形態において、コア形状、端子電極の形状及び配置、ワイヤの継線構造を含むコイル部品１の全体の形状は、ドラムコア１０の平面方向の中心から見て回転対称（２回対称）となっている。そのため、コイル部品１を平面内で１８０度回転させると、回転後の端子電極１５Ａ，１５Ｂ，１５Ｃは回転前の端子電極１５Ｆ、１５Ｅ，１５Ｄと重なり合う。さらに、端子電極１５Ａ，１５Ｃは巻芯部１１の中心軸から見て線対称な関係を有しており、端子電極１５Ｄ，１５Ｆも巻芯部１１の中心軸から見て線対称な関係を有している。
【００３９】
図３（ａ）及び（ｂ）は、ワイヤＷ１〜Ｗ４と端子電極１５Ａ〜１５Ｆとの結線について説明するための略平面図である。
【００４０】
図３（ａ）及び（ｂ）に示すように、ワイヤＷ１〜Ｗ４は被覆導線であり、巻芯部１１に２層構造で巻回されている。ワイヤＷ１，Ｗ４がバイファイラ巻き（２本のワイヤを交互に並べて単層巻きすること）されることにより１層目の巻線層を構成しており、ワイヤＷ２，Ｗ３が１層目の巻線層に重ねてバイファイラ巻きされることにより２層目の巻線層を構成している。ワイヤＷ１〜Ｗ４のターン数は実質同一である。
【００４１】
ワイヤＷ１〜Ｗ４の巻回方向は１層目と２層目とで異なっている。例えば鍔部１２Ａから鍔部１２Ｂに向かう巻回方向を鍔部１２Ａから見た場合、ワイヤＷ１，Ｗ４の巻回方向は反時計周りであるのに対し、ワイヤＷ２，Ｗ３の巻回方向は時計周りであり、互いに逆になっている。このようにしているのは、巻き始めの際及び巻き終わりの際に各ワイヤを巻芯部１１の一端から他端まで引き延ばさないで済むようにするためである。
【００４２】
図３（ａ）に示すように、ワイヤＷ１の一端Ｗ１ａ，他端Ｗ１ｂは端子電極１５Ａ，１５Ｄにそれぞれ継線されており、ワイヤＷ４の一端Ｗ４ａ，他端Ｗ４ｂは端子電極１５Ｃ，１５Ｆにそれぞれ継線されている。また、図３（ｂ）に示すように、ワイヤＷ２の一端Ｗ２ａ，他端Ｗ２ｂは端子電極１５Ｄ，１５Ｂにそれぞれ継線されており、ワイヤＷ３の一端Ｗ３ａ，他端Ｗ３ｂは端子電極１５Ｅ，１５Ｃにそれぞれ継線されている。
【００４３】
図４は、コイル部品１の等価回路図である。
【００４４】
図４に示すように、端子電極１５Ａと１５Ｂはそれぞれ平衡入力のプラス側端子ＩＮ＋とマイナス側端子ＩＮ−を構成しており、端子電極１５Ｅと１５Ｆはそれぞれ平衡出力のプラス側端子ＯＵＴ＋とマイナス側端子ＯＵＴ−を構成している。端子電極１５Ｃは出力側の中間タップＣＴｏであり、端子電極１５Ｄは入力側の中間タップＣＴｉである。ワイヤＷ１，Ｗ２は端子電極１５Ｄを介して直列接続されてコイル部品１の一次巻線を構成しており、ワイヤＷ３，Ｗ４は端子電極１５Ｃを介して直列接続されてコイル部品１の二次巻線を構成している。また、ドラムコア１０と板状コア１３はコイル部品１の閉磁路を構成している。
【００４５】
コイル部品１の動作について再び図３（ｂ）を参照しながら説明する。図３（ｂ）に示すように、端子電極１５Ａ，１５Ｂに平衡入力電流ｉ１を流すと、ワイヤＷ１，Ｗ２が巻回されている巻芯部１１には、鍔部１２Ａ側にＮ極、鍔部１２Ｂ側にＳ極を有する磁界Ｈが発生する。この磁界Ｈは、ワイヤＷ３，Ｗ４に誘導電流を発生させ、この誘導電流が平衡出力電流ｉ２となる。したがって、図４に示した等価回路が実現される。
【００４６】
上述したように、ワイヤＷ１，Ｗ４の巻回方向とワイヤＷ２，Ｗ３の巻回方向とは互いに逆になっている。もしワイヤＷ１，Ｗ４の巻回方向とワイヤＷ２，Ｗ３の巻回方向とを同一とした場合、コイル部品１が上記のように動作する（磁界Ｈによって平衡出力電流ｉ２が発生する）ためには、ワイヤＷ２，Ｗ３を端子電極１５Ｂ，１５Ｃに継線した後、鍔部１２Ｂ側まで引き延ばして巻き始め、巻き終わりでは鍔部１２Ａ側から端子電極１５Ｄ，１５Ｅまで引き延ばして継線する必要がある。しかし、コイル部品１ではこのようなワイヤの引き延ばしが不要であり、各ワイヤを継線される鍔部の最寄位置から巻き始め、かつ最寄位置で巻き終わらせることが可能である。
【００４７】
図５は、鍔部１２Ａ側のワイヤＷ１〜Ｗ４の端末部の継線構造を示す図であって、（ａ）は底面側から見た略平面図、（ｂ）は（ａ）の矢印Ｄで示すように内側側面側から見た略平面図である。
【００４８】
図５（ａ）及び（ｂ）に示すように、第１及び第２のワイヤＷ１，Ｗ２の端末部は端子電極１５Ａ，１５Ｂにそれぞれ継線されており、第３及び第４のワイヤＷ３，Ｗ４の端末部は共通の端子電極１５Ｃに継線されている。第１〜第４のワイヤＷ１〜Ｗ４は各端子電極の表面への熱圧着により継線されている。
【００４９】
ワイヤＷ１は、巻芯部１１から端子電極１５Ａに向かって延びる引き出し部ＬＬ１ａを有している。引き出し部ＬＬ１ａは、端子電極１５Ａに近いほうの巻芯部１１の側面ＳＳ１の上端から巻芯部１１を横切ることなく下方に引き延ばされて端子電極１５Ａに達しており、引き出し部ＬＬ１ａの先端は端子電極１５Ａの表面に熱圧着された継線部Ｂ１ａを構成している。なお、コイル部品１における上下方向は実装面Ｍに対するコイル部品１の通常の実装状態に基づいて定められる。
【００５０】
ワイヤＷ２は、巻芯部１１から第２の端子電極１５Ｂに向かって延びる引き出し部ＬＬ２ｂを有している。引き出し部ＬＬ２ｂは、第２の端子電極１５Ｂから遠いほうの巻芯部１１の側面ＳＳ２の下端から巻芯部１１を横切りながら斜め下方に引き延ばされて第２の端子電極１５Ｂに達しており、引き出し部ＬＬ２ｂの先端は端子電極１５Ｂの表面に熱圧着された継線部Ｂ２ｂを構成している。
【００５１】
ワイヤＷ３は、巻芯部１１から第３の端子電極１５Ｃに向かって延びる引き出し部ＬＬ３ｂを有している。引き出し部ＬＬ３ｂは、第３の端子電極１５Ｃに近いほうの巻芯部１１の側面ＳＳ２の上端から巻芯部１１を横切ることなく下方に引き延ばされて第３の端子電極１５Ｃに達しており、引き出し部ＬＬ３ｂの先端は端子電極１５Ｃの表面に熱圧着された継線部Ｂ３ｂを構成している。
【００５２】
ワイヤＷ４は、巻芯部１１から第３の端子電極１５Ｃに向かって延びる引き出し部ＬＬ４ａを有している。引き出し部ＬＬ４ａは、第３の端子電極１５Ｃから遠いほうの巻芯部１１の側面ＳＳ１の下端から巻芯部１１を横切りながら斜め下方に引き延ばされて第３の端子電極１５Ｃに達しており、引き出し部ＬＬ４ａの先端は端子電極１５Ｃの表面に熱圧着された継線部Ｂ４ａを構成している。継線部Ｂ４ａのＸ方向の位置は、継線部Ｂ３ｂよりも第２の端子電極１５Ｂ寄り（鍔部１２Ａの幅方向の内側寄り）である。
【００５３】
ワイヤＷ４の巻回方向はワイヤＷ２と逆方向であり、鍔部１２Ａ側においてワイヤＷ２の端末部は巻芯部１１から引き出された後、巻芯部１１を横切りながら端子電極１５Ｃまで延びており、ワイヤＷ４の端末部も巻芯部１１から引き出された後、巻芯部１１を横切りながら端子電極１５Ｂまで延びている。そのため、ワイヤＷ２の引き出し部ＬＬ２ｂはワイヤＷ４の引き出し部ＬＬ４ａの下方を通過して引き出し部ＬＬ４ａとクロスしている。
【００５４】
そして図５（ａ）中の矢印Ｄで示す巻芯部１１側から見たワイヤＷ４の継線部Ｂ４ａの根元位置Ｐ４ａは、ワイヤＷ２の継線部Ｂ２ｂの根元位置Ｐ２ｂよりも巻芯部１１の延伸方向（中心軸Ｙ０の方向）の奥側（鍔部１２Ａの外側側面寄り）に位置している。なお他の継線部Ｂ１ａ，Ｂ３ｂの根元位置Ｐ１ａ，Ｐ３ｂは、継線部Ｂ２ｂの根元位置Ｐ２ｂと同じである。
【００５５】
各端子電極１５Ａ〜１５Ｄの底面部ＴＢ（図２参照）の平面形状は略矩形であり、Ｘ方向に沿ったエッジＥｘとＹ方向に沿ったエッジＥｙとを有している。ここで、ワイヤＷ１、Ｗ２、Ｗ３は、巻芯部１１に近い側のエッジＥｘを横切って対応する端子電極の外側に引き出されるが、ワイヤＷ４はエッジＥｘを横切らず、Ｙ方向に延びるエッジＥｙを横切って端子電極１５Ｃの外側に引き出される。そのため、ワイヤＷ４がエッジＥｘを横切って引き出される場合に比べて、ワイヤＷ４とワイヤＷ２とのクロスポイントＰｘの位置はワイヤＷ２の端末部（継線部Ｂ２ｂ）に近づく方向にずれる。
【００５６】
その結果、ワイヤＷ２の引き出し部ＬＬ２ｂはワイヤＷ４の引き出し部ＬＬ４ａの下方を通過して端子電極１５Ｂまで延び、ワイヤＷ２とワイヤＷ４との間の高さ方向（Ｚ方向）の間隔が広くなるので、ワイヤＷ２とワイヤＷ４との接触を防止することができる。あるいは、ワイヤＷ２、Ｗ４が接触していたとしても圧接力を弱めることができる。したがって、ワイヤＷ４がワイヤＷ２によって押されてワイヤＷ４の継線部の根元位置に余計な負荷がかかることを防止することができる。
【００５７】
図６は、鍔部１２Ｂ側のワイヤＷ１〜Ｗ４の端末部の継線構造を示す図であって、（ａ）は底面側から見た略平面図、（ｂ）は（ａ）の矢印Ｄで示すように内側側面側から見た略平面図である。
【００５８】
図６（ａ）及び（ｂ）に示すように、コイル部品１は２回対称な構造であるため、他方の鍔部１２Ｂ側の継線構造は鍔部１２Ａ側の継線構造と実質同一である。端子電極１５Ｆ，１５Ｅ，１５Ｄは端子電極１５Ａ，１５Ｂ，１５Ｃにそれぞれ対応しており、鍔部１２Ｂ側の引き出し部ＬＬ４ｂ，ＬＬ３ａ，ＬＬ２ａ，ＬＬ１ｂは鍔部１２Ａ側の引き出し部ＬＬ１ａ，ＬＬ２ｂ，ＬＬ３ｂ，ＬＬ４ａにそれぞれ対応しており、鍔部１２Ｂ側の継線部Ｂ４ｂ，Ｂ３ａ，Ｂ２ａ，Ｂ１ｂは鍔部１２Ａ側の継線部Ｂ１ａ，Ｂ２ｂ，Ｂ３ｂ，Ｂ４ａにそれぞれ対応している。
【００５９】
ワイヤＷ３の引き出し部ＬＬ３ａはワイヤＷ１の引き出し部ＬＬ１ｂの下方を通過して端子電極１５Ｅまで延び、ワイヤＷ３とワイヤＷ１との間の高さ方向（Ｚ方向）の間隔が広くなるので、ワイヤＷ３とワイヤＷ１との接触を防止することができる。あるいは、ワイヤＷ３、Ｗ１が接触していたとしても圧接力を弱めることができる。したがって、ワイヤＷ１がワイヤＷ３によって押されてワイヤＷ１に余計な負荷がかかることを防止することができる。
【００６０】
以上説明したように、本実施形態によるコイル部品は、互いにクロスして配線され端末部が熱圧着により継線される２本のワイヤを有し、後から巻芯部に巻回される下側のワイヤの熱圧着された継線部の根元位置が、先に巻芯部に巻回される上側のワイヤの熱圧着された継線部の根元位置よりも鍔部の外側側面寄りにあるので、２本のワイヤのクロスポイントにおいて上側のワイヤが下側のワイヤから受ける圧接力を抑えることができ、上側のワイヤが下側のワイヤによって上方に押されて継線部の根元位置に余計な負荷がかかることを防止することができる。したがって、信頼性の高いコイル部品を提供することができる。
【００６１】
図７は、本発明の第２の実施の形態によるコイル部品の構造を示す略平面図であって、底面側の構成を示すものである。
【００６２】
図７に示すように、このコイル部品２の特徴は、端子電極１５ＣのＹ方向（巻芯部１１の延伸方向）の長さＬｙ１が鍔部１２Ａ側の他の端子電極１５Ａ，１５Ｂの長さＬｙ２よりも短く、端子電極１５ＤのＹ方向の長さＬｙ３が鍔部１２Ｂ側の他の端子電極１５Ｅ，１５Ｆの長さＬｙ４よりも短い点にある。そして、巻芯部１１側から見た端子電極１５ＣのエッジＥｘの位置が他の端子電極１５Ａ，１５ＢのエッジＥｘよりも奥側に位置しており、また巻芯部１１側から見た端子電極１５ＤのエッジＥｘの位置が他の端子電極１５Ｅ，１５ＦのエッジＥｘよりも奥側に位置している。鍔部１２Ａ側において、ワイヤＷ４の端末部Ｗ４ａは他のワイヤＷ１，Ｗ２，Ｗ３の端末部と同様に端子電極１５ＣのエッジＥｘを横切って外側に引き出されている。また鍔部１２Ｂ側において、ワイヤＷ１の端末部Ｗ１ｂは他のワイヤＷ２，Ｗ３，Ｗ４と同様に端子電極１５ＤのエッジＥｘを横切って外側に引き出されている。その他の構成は第１の実施形態によるコイル部品１と同様である。
【００６３】
本実施形態によれば、第１の実施形態による発明の効果に加えて、端子電極１５Ｃ上でのワイヤＷ３，Ｗ４の継線並びに端子電極１５Ｄ上でのワイヤＷ１，Ｗ２の継線を容易にすることができる。
【００６４】
図８は、本発明の第３の実施の形態によるコイル部品の構造を示す略平面図であって、底面側の構成を示すものである。
【００６５】
図８に示すように、このコイル部品３の特徴は、鍔部１２Ａ，１２Ｂの各々に設けられる端子電極の数が３つではなく４つである点にある。鍔部１２Ａには４つの端子電極１５Ａ，１５Ｂ，１５Ｃ１，１５Ｃ２が設けられており、鍔部１２Ｂには４つの端子電極１５Ｄ１，１５Ｄ２，１５Ｅ，１５Ｆが設けられている。ワイヤＷ１の端末部Ｗ１ｂとワイヤＷ２の端末部Ｗ２ａとの電気的な接続と、ワイヤＷ３の端末部Ｗ３ｂとワイヤＷ４の端末部Ｗ４ａとの電気的な接続はコイル部品３を実装したときに基板上の配線パターン（ランド）を介して行われる。
【００６６】
本実施形態においても、ワイヤＷ４の端末部Ｗ４ａが継線される鍔部１２Ａ側の端子電極１５Ｃ１のエッジＥｘの位置は、他の端子電極１５Ａ，１５Ｂ，１５Ｃ２のエッジＥｘよりも奥側（鍔部１２Ａの外側側面寄り）に位置することが好ましい。同様に、ワイヤＷ１の端末部Ｗ１ｂが継線される鍔部１２Ｂ側の端子電極１５Ｄ２のエッジＥｘの位置は、他の端子電極１５Ｄ１，１５Ｅ，１５ＦのエッジＥｘよりも奥側（鍔部１２Ｂの外側側面寄り）に位置することが好ましい。この構成によれば、端子電極１５Ｃ１上でのワイヤＷ４の継線並びに端子電極１５Ｄ２上でのワイヤＷ１の継線を容易にすることができる。
【００６７】
以上説明したように、本実施形態によるコイル部品３は、実装基板上で２つの端子電極１５Ｃ１，１５Ｃ２を短絡させ、さらに２つの端子電極１５Ｄ１，１５Ｄ２を短絡させることにより、第１の実施形態によるコイル部品１と同一の構成を実現することができる。したがって、第１の実施形態と同様の作用効果を奏することができる。
【００６８】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【００６９】
例えば、上記実施形態においては、コイル部品としてパルストランスを例に挙げたが、本発明はパルストランスに限定されず、種々のコイル部品を対象とすることができる。また端子数も片側３端子や片側４端子に限定されず、いくつであってもよい。
【００７０】
また、上記実施形態においては、端子電極として鍔部に接着された端子金具を用いているが、本発明において端子電極の構成は特に限定されず、めっき、印刷、蒸着等によって形成された電極であってもよい。
【００７１】
また、上記第３の実施の形態においては、巻芯部１１側から見た端子電極１５Ｃ１の近端側のエッジＥｘの位置を他の端子電極１５Ａ，１５Ｂ，１５Ｃ２の近端側のエッジＥｘの位置よりも巻芯部１１の延伸方向の奥側に配置しているが、必ずしもこのようにする必要はなく、第１の実施形態と同様に端子電極１５Ｃ１のエッジＥｘの位置を他の端子電極１５Ａ，１５Ｂ，１５Ｃ２の近端側のエッジＥｘの位置に合わせても構わない。
【符号の説明】
【００７２】
１〜３    コイル部品
１０    ドラムコア
１１    巻芯部
１２Ａ，１２Ｂ    鍔部
１３    板状コア
１５Ａ，１５Ｂ，１５Ｃ，１５Ｃ１，１５Ｃ２，    端子電極
１５Ｄ，１５Ｄ１，１５Ｄ２，１５Ｅ，１５Ｆ    端子電極
Ｂ１ａ，Ｂ１ｂ，Ｂ２ａ，Ｂ２ｂ，Ｂ３ａ，Ｂ３ｂ，Ｂ４ａ，Ｂ４ｂ    継線部
ＣＴｉ，ＣＴｏ    中間タップ
Ｅｘ， Ｅｙ    端子電極のエッジ
ＬＬ１ａ，ＬＬ１ｂ    ワイヤＷ１の引き出し部
ＬＬ２ａ，ＬＬ２ｂ    ワイヤＷ１の引き出し部
ＬＬ３ａ，ＬＬ３ｂ    ワイヤＷ１の引き出し部
ＬＬ４ａ，ＬＬ４ｂ    ワイヤＷ１の引き出し部
Ｐ１ａ，Ｐ２ｂ，Ｐ３ｂ，Ｐ４ａ    継線部の根元位置
Ｐｘ    クロスポイント
ＳＳ１    巻芯部１１の側面
ＳＳ２    巻芯部１１の側面
ＴＢ    鍔部の底面部
ＴＳ    鍔部の側面部
Ｗ１    ワイヤ
Ｗ１ａ    ワイヤＷ１の端末部（一端）
Ｗ１ｂ    ワイヤＷ１の端末部（他端）
Ｗ２    ワイヤ
Ｗ２ａ    ワイヤＷ２の端末部（一端）
Ｗ２ｂ    ワイヤＷ２の端末部（他端）
Ｗ３    ワイヤ
Ｗ３ａ    ワイヤＷ３の端末部（一端）
Ｗ３ｂ    ワイヤＷ３の端末部（他端）
Ｗ４    ワイヤ
Ｗ４ａ    ワイヤＷ４の端末部（一端）
Ｗ４ｂ    ワイヤＷ４の端末部（他端）
Ｙ０    巻芯部１１の中心軸
【図１】
2015201613.tif 000003
【図２】
2015201613.tif 000004
【図３】
2015201613.tif 000005
【図４】
2015201613.tif 000006
【図５】
2015201613.tif 000007
【図６】
2015201613.tif 000008
【図７】
2015201613.tif 000009
【図８】
2015201613.tif 000010